(57)【要約】  本開示は、ダウンリンク制御チャネルを送信するための方法および装置を開示し、実際のｃａｎｄｉｄａｔｅの数に従ってダウンリンク制御チャネルのより柔軟な送信を実現し、実際のｃａｎｄｉｄａｔｅの数に従って端末がダウンリンク制御チャネルを検出と受信することができ、端末がダウンリンク制御チャネルのブラインド検出を実行する回数が多すぎたり少なすぎたりする問題を回避し、実際のニーズを満たす。本開示に係るダウンリンク制御チャネルを送信するための方法は、ダウンリンク制御チャネルを送信するための少なくとも１つのリソースセット内のダウンリンク制御チャネルを送信するための候補の数を決定し、前記リソースセットにおいて、前記候補の数に基づき、ダウンリンク制御チャネルを受信する。
2020520156.tif 000002
【特許請求の範囲】
【請求項１】
ダウンリンク制御チャネルを送信するための少なくとも１つのリソースセット内のダウンリンク制御チャネルを送信するための候補の数を決定するステップと、
前記リソースセットにおいて、前記候補の数に基づき、ダウンリンク制御チャネルを受信するステップとを備えることを特徴とするダウンリンク制御チャネルを送信するための方法。
【請求項２】
前記ダウンリンク制御チャネルを送信するための少なくとも１つのリソースセット内のダウンリンク制御チャネルを送信するための候補の数を決定する場合、
基地局から少なくとも１つのリソースセット内の候補の数を示す通知を受信し、前記通知に基づき、少なくとも１つのリソースセット内の候補の数を決定することを特徴とする請求項１に記載のダウンリンク制御チャネルを送信するための方法。
【請求項３】
前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項２に記載のダウンリンク制御チャネルを送信するための方法。
【請求項４】
前記通知に各リソースセット内の候補の数が含まれると、
前記通知に含まれる各リソースセット内の候補の数に基づき、第１の所定のルールに従って、各リソースセット内の各アグリゲーションレベルに含まれる候補の数を決定することを特徴とする請求項３に記載のダウンリンク制御チャネルを送信するための方法。
【請求項５】
前記ダウンリンク制御チャネルを送信するための少なくとも１つのリソースセット内のダウンリンク制御チャネルを送信するための候補の数を決定する場合、
第２の所定のルールに従って、少なくとも１つのリソースセット内の候補の数を決定することを特徴とする請求項１に記載のダウンリンク制御チャネルを送信するための方法。
【請求項６】
ダウンリンク制御チャネルを送信するための少なくとも１つのリソースセット内のダウンリンク制御チャネル候補の数を決定し、明示的なシグナリングによって前記リソースセット内のダウンリンク制御チャネル候補の数の通知を端末に送信し、または事前定義されたルールに従って、前記リソースセット内のダウンリンク制御チャネル候補の数を暗黙的に示すステップと、
前記リソースセットにおいて、ダウンリンク制御チャネルを送信するステップとを備えることを特徴とするダウンリンク制御チャネルを送信するための方法。
【請求項７】
前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項６に記載のダウンリンク制御チャネルを送信するための方法。
【請求項８】
ダウンリンク制御チャネルを送信するための少なくとも１つのリソースセット内のダウンリンク制御チャネルを送信するための候補の数を決定するための決定ユニットと、
前記リソースセットにおいて、前記候補の数に基づき、ダウンリンク制御チャネルを受信するための受信ユニットとを備えることを特徴とするダウンリンク制御チャネルを送信するための装置。
【請求項９】
前記決定ユニットは、
基地局から少なくとも１つのリソースセット内の候補の数を示す通知を受信し、前記通知に基づき、少なくとも１つのリソースセット内の候補の数を決定することを特徴とする請求項８に記載のダウンリンク制御チャネルを送信するための装置。
【請求項１０】
前記通知には、各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項９に記載のダウンリンク制御チャネルを送信するための装置。
【請求項１１】
前記通知に各リソースセット内の候補の数が含まれると、前記決定ユニットは、さらに、
前記通知に含まれる各リソースセット内の候補の数に基づき、第１の所定のルールに従って、各リソースセット内の各アグリゲーションレベルに含まれる候補の数を決定することを特徴とする請求項１０に記載のダウンリンク制御チャネルを送信するための装置。
【請求項１２】
前記決定ユニットは、第２の所定のルールに従って、少なくとも１つのリソースセット内の候補の数を決定することを特徴とする請求項８に記載のダウンリンク制御チャネルを送信するための装置。
【請求項１３】
ダウンリンク制御チャネルを送信するための少なくとも１つのリソースセット内のダウンリンク制御チャネル候補の数を決定し、明示的なシグナリングによって前記リソースセット内のダウンリンク制御チャネル候補の数の通知を端末に送信し、または事前定義されたルールに従って、前記リソースセット内のダウンリンク制御チャネル候補の数を暗黙的に示すための決定ユニットと、
前記リソースセットにおいて、ダウンリンク制御チャネルを送信するための送信ユニットとを備えることを特徴とするダウンリンク制御チャネルを送信するための装置。
【請求項１４】
前記通知には、各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項１３に記載のダウンリンク制御チャネルを送信するための装置。
【請求項１５】
プロセッサと、メモリと、送受信機とを備え、
プロセッサは、メモリ内のプログラムを読み取り、以下の動作を実行し、
ダウンリンク制御チャネルを送信するための少なくとも１つのリソースセット内のダウンリンク制御チャネルを送信するための候補の数を決定し、前記リソースセットにおいて、前記候補の数に基づき、送受信機を介してダウンリンク制御チャネルを受信することを特徴とするダウンリンク制御チャネルを送信するための装置。
【請求項１６】
前記プロセッサは、
送受信機を介して基地局から少なくとも１つのリソースセット内の候補の数を示す通知を受信し、前記通知に基づき、少なくとも１つのリソースセット内の候補の数を決定することを特徴とする請求項１５に記載のダウンリンク制御チャネルを送信するための装置。
【請求項１７】
前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項１６に記載のダウンリンク制御チャネルを送信するための装置。
【請求項１８】
前記プロセッサは、さらに、
前記通知に各リソースセット内の候補の数が含まれると、前記通知に含まれる各リソースセット内の候補の数に基づき、第１の所定のルールに従って、各リソースセット内の各アグリゲーションレベルに含まれる候補の数を決定することを特徴とする請求項１７に記載のダウンリンク制御チャネルを送信するための装置。
【請求項１９】
前記プロセッサは、
第２の所定のルールに従って、少なくとも１つのリソースセット内の候補の数を決定することを特徴とする請求項１５に記載のダウンリンク制御チャネルを送信するための装置。
【請求項２０】
プロセッサと、メモリと、送受信機とを備え、
前記プロセッサは、メモリ内のプログラムを読み取り、以下の動作を実行し、
ダウンリンク制御チャネルを送信するための少なくとも１つのリソースセット内のダウンリンク制御チャネル候補の数を決定し、明示的なシグナリングによって送受信機を介して前記リソースセット内のダウンリンク制御チャネル候補の数の通知を端末に送信し、または事前定義されたルールに従って、前記リソースセット内のダウンリンク制御チャネル候補の数を暗黙的に示し、前記リソースセットにおいて、送受信機を介してダウンリンク制御チャネルを送信することを特徴とするダウンリンク制御チャネルを送信するための装置。
【請求項２１】
前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項２０に記載のダウンリンク制御チャネルを送信するための装置。
【請求項２２】
プログラムコードを含み、プログラムコードがコンピューティング機器で実行される場合、前記プログラムコードは、コンピューティング機器が請求項１〜５のいずれか１項に記載の方法のステップまたは請求項６または７の方法のステップを実行できるようにするために使用される、読み取り可能な記憶媒体。
【発明の詳細な説明】
【技術分野】
【０００１】
［関連出願の相互参照］
【０００２】
本出願は、２０１７年５月５日に中国特許局に提出し、出願番号が２０１７１０３１４１６１.１であり、発明名称が「ダウンリンク制御チャネルを送信するための方法および装置」との中国特許出願を基礎とする優先権を主張し、その開示の総てをここに取り込む。
［技術分野］
本発明は、無線通信技術分野に関し、特にダウンリンク制御チャネルを送信するための方法および装置に関する。
【背景技術】
【０００３】
既存のＬＴＥダウンリンク制御チャネルは、以下で説明する。
【０００４】
ＬＴＥシステムの物理ダウンリンク制御チャネル（ｐｈｙｓｉｃＡＬ ｄｏｗｎｌｉｎｋ ｃｏｎｔｒｏｌ ｃｈａｎｎｅｌ，ＰＤＣＣＨ）は、スケジューリング情報および他の制御情報を運ぶために使用される。各ダウンリンクサブフレームの制御領域に複数のＰＤＣＣＨが存在する。１つの制御チャネルは、１つの制御チャネル要素（ｃｏｎｔｒｏｌ ｃｈａｎｎｅｌ ｅｌｅｍｅｎｔ，ＣＣＥ）または複数の連続したＣＣＥを介して送信され、各ＣＣＥは９つのリソース要素グループ（ｒｅｓｏｕｒｃｅ ｅｌｅｍｅｎｔ ｇｒｏｕｐ，ＲＥＧ）で構成される。
【０００５】
ＰＤＣＣＨの容量を拡張するために、リリース１１（Rel-１１）に拡張ＰＤＣＣＨ（EＰＤＣＣＨ）が導入されている。EＰＤＣＣＨはサブフレーム内のデータ領域で送信され、ＰＤＣＣＨの送信スペースを占有することはできない。
【０００６】
Ｅ−ＰＤＣＣＨ setによってサポートされるアグリゲーションレベルのレベルは、現在の規格に従って決定されており、Ｅ−ＰＤＣＣＨ setのタイプ、サブフレームタイプおよび１つのPRB pairに含まれるE-ＰＤＣＣＨ 送信に利用可能なＲＥの数などの要因に関連している。
【０００７】
ユーザ機器（Ｕｓｅｒ Ｅｑｕｉｐｍｅｎｔ，ＵＥ）は、監視される必要があるダウンリンク制御情報（Ｄｏｗｎｌｉｎｋ Ｃｏｎｔｒｏｌ Ｉｎｆｏｒｍａｔｉｏｎ，ＤＣＩ）のフォーマット（ｆｏｒｍａｔ）に従って、すなわち、ＰＤＣＣＨ 候補（ｃａｎｄｉｄａｔｅ）集合を監視することにより、サーチスペース内のすべてのＰＤＣＣＨをデコードしようと試みる。ここで、前記ｃａｎｄｉｄａｔｅは、すなわち、でＰＤＣＣＨまたはeＰＤＣＣＨを送信するために使用されるリソース位置である。
【０００８】
アグリゲーションレベル（Ａｇｇｒｅｇａｔｉｏｎ ｌｅｖｅｌ，ＡＬ）のサーチスペースは複数のＰＤＣＣＨ ｃａｎｄｉｄａｔｅからなる。前記ＡＬは、すなわち、１つのＰＤＣＣＨまたはeＰＤＣＣＨの送信に占有する物理リソースのサイズである。たとえば、ＡＬ=１の場合、１つのＰＤＣＣＨまたはeＰＤＣＣＨを送信するには１つのＣＣＥが必要がある。ＡＬ=２の場合、１つのＰＤＣＣＨまたはeＰＤＣＣＨを送信するには２つのＣＣＥが必要がある。
【０００９】
既存のＬＴＥシステムでは、端末が制御領域内のＰＤＣＣＨまたはｅＰＤＣＣＨを検出および受信すると、制御領域内のＰＤＣＣＨまたはｅＰＤＣＣＨ候補（ｃａｎｄｉｄａｔｅ）の数が決定される。たとえば、各ＡＬに含まれるｃａｎｄｉｄａｔｅの数は固定されている。異なるリソースセット（ＣＯＲＥＳＥＴ）に含まれるｃａｎｄｉｄａｔｅの数と、異なるＡＬに含まれるｃａｎｄｉｄａｔｅの数は固定されている。したがって、従来技術のＬＴＥシステムは、可変数のｃａｎｄｉｄａｔｅの設定をサポートせず、その結果、ダウンリンク制御チャネルの送信は、実際のニーズに従って変更されるほど十分に柔軟ではない。ｃａｎｄｉｄａｔｅの数が多い場合、リソースが無駄になるように、端末は消費電力の高いダウンリンク制御チャネルをブラインド検出する可能性があり、ｃａｎｄｉｄａｔｅの数が少ない場合、端末のブラインド検出の数は少なく、ブロックされる可能性は高くなる。
【発明の概要】
【発明が解決しようとする課題】
【００１０】
本開示の実施形態は、ダウンリンク制御チャネルを送信するための方法および装置を提供し、実際のｃａｎｄｉｄａｔｅの数に従ってダウンリンク制御チャネルのより柔軟な送信を実現し、実際のｃａｎｄｉｄａｔｅの数に従って端末がダウンリンク制御チャネルを検出と受信することができ、端末がダウンリンク制御チャネルのブラインド検出を実行する回数が多すぎたり少なすぎたりする問題を回避し、実際のニーズを満たす。
【課題を解決するための手段】
【００１１】
第１の態様によれば、端末側において、本開示の実施形態に係るダウンリンク制御チャネルを送信するための方法は、
ダウンリンク制御チャネルを送信するための少なくとも１つのリソースセット内のダウンリンク制御チャネルを送信するための候補の数を決定するステップと、
前記リソースセットにおいて、前記候補の数に基づき、ダウンリンク制御チャネルを受信するステップとを備える。
【００１２】
本開示の実施形態では、ダウンリンク制御チャネルを送信するための少なくとも１つのリソースセット内のダウンリンク制御チャネルを送信するための候補の数を決定し，前記リソースセットにおいて、前記候補の数に基づき、ダウンリンク制御チャネルを受信することにより、端末が実際のｃａｎｄｉｄａｔｅの数に従ってダウンリンク制御チを検出と受信することができ、ダウンリンク制御チャネルのより柔軟な送信を実現し、端末がダウンリンク制御チャネルのブラインド検出を実行する回数が多すぎたり少なすぎたりする問題を回避し、実際のニーズを満たす。
【００１３】
任意選択で、前記ダウンリンク制御チャネルを送信するための少なくとも１つのリソースセット内のダウンリンク制御チャネルを送信するための候補の数を決定する場合、
基地局から少なくとも１つのリソースセット内の候補の数を示す通知を受信し、前記通知に基づき、少なくとも１つのリソースセット内の候補の数を決定する。
【００１４】
任意選択で、前記通知には、各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれる。
【００１５】
任意選択で、前記通知に各リソースセット内の候補の数が含まれると、前記通知に含まれる各リソースセット内の候補の数に基づき、第１の所定のルールに従って、各リソースセット内の各アグリゲーションレベルに含まれる候補の数を決定する。
【００１６】
任意選択で、前記ダウンリンク制御チャネルを送信するための少なくとも１つのリソースセット内のダウンリンク制御チャネルを送信するための候補の数を決定する場合、
第２の所定のルールに従って、少なくとも１つのリソースセット内の候補の数を決定する。
【００１７】
第２の態様によれば、対応する基地局側では、本開示の実施形態に係るダウンリンク制御チャネルを送信するための方法は、
ダウンリンク制御チャネルを送信するための少なくとも１つのリソースセット内のダウンリンク制御チャネル候補の数を決定し、明示的なシグナリングによって前記リソースセット内のダウンリンク制御チャネル候補の数の通知を端末に送信し、または事前定義されたルールに従って、前記リソースセット内のダウンリンク制御チャネル候補の数を暗黙的に示すステップと、
前記リソースセットにおいて、ダウンリンク制御チャネルを送信するステップとを備える。
【００１８】
任意選択で、前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのつちの１つまたは組み合わせが含まれる。
【００１９】
第３の態様によれば、上記端末側の方法と対応して、本開示の実施形態に係るダウンリンク制御チャネルを送信するための装置は、
ダウンリンク制御チャネルを送信するための少なくとも１つのリソースセット内のダウンリンク制御チャネルを送信するための候補の数を決定するための決定ユニットと、
前記リソースセットにおいて、前記候補の数に基づき、ダウンリンク制御チャネルを受信するための受信ユニットとを備える。
【００２０】
任意選択で、前記決定ユニットは具体的に、
基地局から少なくとも１つのリソースセット内の候補の数を示す通知を受信し、前記通知に基づき、少なくとも１つのリソースセット内の候補の数を決定する。
【００２１】
任意選択で、前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれる。
【００２２】
任意選択で、前記通知に各リソースセット内の候補の数が含まれると、前記決定ユニットは、さらに、
前記通知に含まれる各リソースセット内の候補の数に基づき、第１の所定のルールに従って、各リソースセット内の各アグリゲーションレベルに含まれる候補の数を決定する。
【００２３】
任意選択で、前記決定ユニットは具体的に、第２の所定のルールに従って、少なくとも１つのリソースセット内の候補の数を決定する。
【００２４】
第４態様によれば、上記基地局側の方法に対応して、本開示の実施形態に係るダウンリンク制御チャネルを送信するための装置は、
ダウンリンク制御チャネルを送信するための少なくとも１つのリソースセット内のダウンリンク制御チャネル候補の数を決定し、明示的なシグナリングによって前記リソースセット内のダウンリンク制御チャネル候補の数の通知を端末に送信し、または事前定義されたルールに従って、前記リソースセット内のダウンリンク制御チャネル候補の数を暗黙的に示すための決定ユニットと、
前記リソースセットにおいて、ダウンリンク制御チャネルを送信するための送信ユニットとを備える。
【００２５】
任意選択で、前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれる。
【００２６】
第５態様によれば、上記端末側の方法と対応して、本開示の実施形態に係る別のダウンリンク制御チャネルを送信するための装置は、プロセッサと、メモリと、送受信機とを備え、
前記プロセッサは、メモリ内のプログラムを読み取り、以下の動作を実行し、
ダウンリンク制御チャネルを送信するための少なくとも１つのリソースセット内のダウンリンク制御チャネルを送信するための候補の数を決定し、前記リソースセットにおいて、前記候補の数に基づき、送受信機を介してダウンリンク制御チャネルを受信する。
【００２７】
任意選択で、前記プロセッサは、
送受信機を介して基地局から少なくとも１つのリソースセット内の候補の数を示す通知を受信し、前記通知に基づき、少なくとも１つのリソースセット内の候補の数を決定する。
【００２８】
任意選択で、前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれる。
【００２９】
任意選択で、前記プロセッサは、さらに、
前記通知に各リソースセット内の候補の数が含まれると、前記通知に含まれる各リソースセット内の候補の数に基づき、第１の所定のルールに従って、各リソースセット内の各アグリゲーションレベルに含まれる候補の数を決定する。
【００３０】
任意選択で、前記プロセッサは、
第２の所定のルールに従って、少なくとも１つのリソースセット内の候補の数を決定する。
【００３１】
第６態様によれば、上記基地局側の方法に対応して、本開示の実施形態に係る別のダウンリンク制御チャネルを送信するための装置，プロセッサと、メモリと、送受信機とを備え、
プロセッサは、メモリ内のプログラムを読み取り、以下の動作を実行し、
ダウンリンク制御チャネルを送信するための少なくとも１つのリソースセット内のダウンリンク制御チャネル候補の数を決定し、明示的なシグナリングによって送受信機を介して前記リソースセット内のダウンリンク制御チャネル候補の数の通知を端末に送信し、または事前定義されたルールに従って、前記リソースセット内のダウンリンク制御チャネル候補の数を暗黙的に示し、前記リソースセットにおいて、送受信機を介してダウンリンク制御チャネルを送信する。
【００３２】
任意選択で、前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれる。
【００３３】
第７の態様によれば、本開示の実施形態に係る読み取り可能な記憶媒体は、プログラムコードを含み、プログラムコードがコンピューティング機器で実行される場合、前記プログラムコードは、コンピューティング機器が前記第１の態様の前記方法のステップまたは前記第２の態様の前記方法のステップを実行できるようにするために使用される。
【００３４】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００３５】
【図１】本開示の実施形態に係る端末側のダウンリンク制御チャネルを送信するための方法のフロー図である。
【図２】本開示の実施形態に係る基地局側のダウンリンク制御チャネルを送信するための方法のフロー図である。
【図３】本開示の実施形態に係る端末側のダウンリンク制御チャネルを送信するための装置の構造概略図である。
【図４】本開示の実施形態に係る基地局側のダウンリンク制御チャネルを送信するための装置の構造概略図である。
【図５】本開示の実施形態に係る端末側の別のダウンリンク制御チャネルを送信するための装置の構造概略図である。
【図６】本開示の実施形態に係る基地局側の別のダウンリンク制御チャネルを送信するための装置の構造概略図である。
【発明を実施するための形態】
【００３６】
本開示の実施形態は、ダウンリンク制御チャネルを送信するための方法および装置を提供し、実際のｃａｎｄｉｄａｔｅの数に従ってダウンリンク制御チャネルのより柔軟な送信を実現し、実際のｃａｎｄｉｄａｔｅの数に従って端末がダウンリンク制御チャネルを検出と受信することができ、端末がダウンリンク制御チャネルのブラインド検出を実行する回数が多すぎたり少なすぎたりする問題を回避し、実際のニーズを満たす。
【００３７】
モバイル技術の発展に伴い、将来のモバイル通信システムは、より低いネットワーク遅延を提供し、より多様なサービスをサポートする必要がある。短い送信時間間隔（Ｔｒａｎｓｍｉｔｔｅｄ Ｔｉｍｅ ＩｎｔｅｒｖＡＬ，ＴＴＩ）は、周波数領域のシステム帯域幅全体を占有しないことが多いため、周波数領域のシステム帯域幅全体を占有しないことが多いため、制御領域は、送信用のシステム帯域幅のリソースの１つまたはいくつかのセットにのみ制限される。たとえば、特定のアプリケーションシナリオのニーズにより、たとえば、消費電力を削減するには少数のブラインド検出のみが必要であり、ブロッキングの確率を下げるには多数のブラインド検出が必要がる。本開示の実施形態短いＴＴＩのダウンリンク制御チャネルのリソースのセット内のｃａｎｄｉｄａｔｅの数を調整すること、および短いＴＴＩのダウンリンク制御チャネルのｃａｎｄｉｄａｔｅの数を決定する方法を提供する。この方法は主に、基地局により、ダウンリンク制御チャネルｃａｎｄｉｄａｔｅの数を設定すること、明示的なシグナリングを解して端末によりダウンリンク制御チャネルｃａｎｄｉｄａｔｅの数を決定すること、または、端末により、ダウンリンク制御チャネルｃａｎｄｉｄａｔｅの数を暗黙的に決定することが含まれる。
【００３８】
本開示の実施形態で説明される端末は、ＵＥと呼ばれることもある。UEは、移動局、ユーザユニット、局などと呼ばれることもある。UEは、携帯電話、携帯情報端末（ＰＤＡ）、ワイヤレスモデム、ワイヤレス通信デバイス、ハンドヘルドデバイス、ラップトップコンピューター、コードレス電話、ワイヤレスローカルループ（ＷＬＬ）ステーション、タブレット、などと呼ばれることもできる。ＵＥは、マクロｅＮＢ、ピコｅＮＢ、フェムトｅＮＢ、中継局などのネットワーク側デバイスと通信できる。
【００３９】
本願の実施形態によって提供される技術的解決策を以下に詳細に説明する。
端末側：
端末は、基地局によって設定されたダウンリンク制御チャネルを送信するためのリソースセットにおいて、基地局によって設定されたｃａｎｄｉｄａｔｅの数に基づき、そのダウンリンク制御チャネルを検出と受信する。
【００４０】
前記基地局によって設定されたダウンリンク制御チャネルを送信するためのリソースセットの数は少なくとも１つのであり、もちろん、ダウンリンク制御チャネルを送信するためのリソースセット複数を設定することもできる。複数の前記リソースセット内の候補の数は、異なっても同じでもよい。
【００４１】
端末は、基地局からダウンリンク制御チャネルｃａｎｄｉｄａｔｅ指示情報を受信する（すなわち、基地局から少なくとも１つのリソースセット内の候補の数を示す通知を受信する）、前記ダウンリンク制御チャネルｃａｎｄｉｄａｔｅ指示情報にしたがって、前記ダウンリンク制御チャネルを送信するためのリソースセットにおいてダウンリンク制御チャネルを検出と受信する。
【００４２】
前記ダウンリンク制御チャネルｃａｎｄｉｄａｔｅ指示情報は、高位層シグナリング、たとえば、無線リソース制御（Ｒａｄｉｏ Ｒｅｓｏｕｒｃｅ Ｃｏｎｔｒｏｌ，ＲＲＣ）信号（ｓｉｇｎａｌｉｎｇ）によって送信してもよい。
前記ｃａｎｄｉｄａｔｅ指示情報は、端末のダウンリンク制御チャネルのｃａｎｄｉｄａｔｅの数を示す。
【００４３】
たとえば、前記ｃａｎｄｉｄａｔｅ指示情報は、各ダウンリンク制御チャネルを送信するためのリソースセットに含まれるダウンリンク制御チャネルｃａｎｄｉｄａｔｅの数を示す。たとえば、ＣＯＲＥＳＥＴ １にダウンリンク制御チャネルが合計Ｎ個のｃａｎｄｉｄａｔｅを有し、ＣＯＲＥＳＥＴ ２にダウンリンク制御チャネルが合計Ｍ個のｃａｎｄｉｄａｔｅを有することを示す。ＮとＭは正の整数である。端末はこれに基づき、第１の所定のルールに従って、各ＡＬに含まれるｃａｎｄｉｄａｔｅの数を決定する。たとえば、ＣＯＲＥＳＥＴ １の場合、各ＡＬに含まれるｃａｎｄｉｄａｔｅの数は、当該ダウンリンク制御チャネルのｃａｎｄｉｄａｔｅの総数Ｎの特定の割合を占める。たとえば、４種類のＡＬがダウンリンク制御チャネルによって送信用に採用される。ＡＬの値はそれぞれ１、２、４、8である。したがって、ＡＬ=１のｃａｎｄｉｄａｔｅは総数Ｎの１/３を占め、ＡＬ=２のｃａｎｄｉｄａｔｅは総数Ｎの１/３を占める。ＡＬ=４のｃａｎｄｉｄａｔｅは合計数Ｎの１/６を占め、ＡＬ=８のｃａｎｄｉｄａｔｅは合計数Ｎの１/６を占める。つまり、前記ｃａｎｄｉｄａｔｅ指示情報が各リソースセット内の候補の数を示す場合、端末は、前記ｃａｎｄｉｄａｔｅ指示情報によって示される各リソースセット内の候補の数に基づき、第１の所定のルールに従って、各リソースセット内の各アグリゲーションレベルに含まれる候補の数を決定する。
【００４４】
または、前記ｃａｎｄｉｄａｔｅ指示情報は、各ダウンリンク制御チャネルを送信するためのリソースセット内の各ＡＬに含まれるｃａｎｄｉｄａｔｅの数を示す。たとえば、ダウンリンク制御チャネルによってサポートされるＡＬの数はＡであり、Ａ=４とする。すなわち、ＡＬの値の範囲は{Ａ１、Ａ２、Ａ３およびＡ４}であると想定する。ここで、Ａ１、Ａ２、Ａ３、Ａ４それぞれは正の整数である。前記ｃａｎｄｉｄａｔｅ指示情報は、ＡＬ=Ａ１の場合のｃａｎｄｉｄａｔｅ数がＬ１、ＡＬ=Ａ２の場合のｃａｎｄｉｄａｔｅ数がＬ２、ＡＬ=Ａ３の場合のｃａｎｄｉｄａｔｅ数がＬ３、およびＡＬ＝Ａ４の場合のｃａｎｄｉｄａｔｅの数はＬ４であることを示す。ここで、Ｌ１、Ｌ２、Ｌ３、Ｌ４はそれぞれゼロ以上の整数である。つまり、この場合、前記Ａ種のＡＬそれぞれに含まれるｃａｎｄｉｄａｔｅの数に応じて、ダウンリンク制御チャネルをブラインド検出する必要がある。
【００４５】
または、前記ｃａｎｄｉｄａｔｅ指示情報は、各ダウンリンク制御チャネルを送信するためのリソースセット内の、サポートされるＡＬおよびサポートされる各ＡＬに含まれるｃａｎｄｉｄａｔｅの数を示す。たとえば、たとえば、ダウンリンク制御チャネルリソースセットでは最大Ａ種類のＡＬがサポートされ、Ａ=４を想定し、ＡＬの値の範囲は{Ａ１、Ａ２、Ａ３およびＡ４}であると想定され。ここで、Ａ１、Ａ２、Ａ３、Ａ４それぞれは正の整数である。次に、基地局は、４ビット情報でダウンリンク制御チャネルリソースセットに存在するＡＬを示す。４ビット情報の各ビットは１つのＡＬを表し、０はリソースのセット内に対応するＡＬがないことを意味し、１はリソースのセット内に対応するＡＬがあることを意味する。たとえば、４ビットのビットマップ情報では、最下位ビットはＡ１を表し、２番目のビットはＡ２を表し、３番目のビットはＡ３を表し、最上位ビットはＡ４を表す。１０００は、リソースのセット内にＡＬ=Ａ１のｃａｎｄｉｄａｔｅのみがあることを示す。別の例では、１１１１は、リソースのセット内にＡ１、Ａ２、Ａ３、Ａ４の４種類のＡＬのｃａｎｄｉｄａｔｅがあることを示す。この場合、端末は、前記ｃａｎｄｉｄａｔｅ指示情報が示すＡＬに含まれるｃａｎｄｉｄａｔｅの数に応じて、ダウンリンク制御チャネルを検出するだけでよい。
【００４６】
または、前記ｃａｎｄｉｄａｔｅ指示情報は、上記の解決策の組み合わせであってもよい。たとえば、前記ｃａｎｄｉｄａｔｅ指示情報は、各ＣＯＲＥＳＥＴおよびサポートされるＡＬに含まれるｃａｎｄｉｄａｔｅの数を示し、各サポートされるＡＬに含まれるｃａｎｄｉｄａｔｅの数は、所定の規則に従って決定される。
【００４７】
さらに、端末は、リソースセット内のｃａｎｄｉｄａｔｅの数を暗黙的に決定してもよい。たとえば、端末は、１つの時間単位（前記時間単位は、たとえば、１つのスロット（slot）または１つの短いＴＴＩ（sTTI）または１つの直交周波数分割多重（OrthogonＡＬ Ｆｒｅｑｕｅｎｃｙ Ｄｉｖｉｓｉｏｎ Ｍｕｌｔｉｐｌｅｘ，ＯＦＤＭ）シンボルである）で、ダウンリンク制御チャネルを受信するとき、検出をサポートするｃａｎｄｉｄａｔｅの数がＫであることが事前に決定されている場合、端末はは、基地局によって事前に設定されたＣＯＲＥＳＥＴのサイズに従って各ＣＯＲＥＳＥＴに含まれるｃａｎｄｉｄａｔｅの数を比例的暗黙的に取得する。つまり、端末は、第２の所定のルールに従って、少なくとも１つのリソースセット内の候補の数を決定することもできる。たとえば、基地局が端末に１つのＣＯＲＥＳＥＴのみを設定する場合、端末はＣＯＲＥＳＥＴに含まれるｃａｎｄｉｄａｔｅの数がＫであると見なす。別の例では、基地局は端末に２つのＣＯＲＥＳＥＴを設定し、ＣＯＲＥＳＥＴ １はQ個のリソースユニット(たとえば、ＲＢ) を含み、ＣＯＲＥＳＥＴ ２はP個のリソースユニットを含場合、端末は、ＣＯＲＥＳＥＴ １に含まれるｃａｎｄｉｄａｔｅの数
【００４８】
【数１】
2020520156.tif 000003
【００４９】
を暗黙的に取得する。端末は、ＣＯＲＥＳＥＴ ２に含まれるｃａｎｄｉｄａｔｅの数
【００５０】
【数２】
2020520156.tif 000004
を暗黙的に取得する。
【００５１】
同様に、各ＣＯＲＥＳＥＴに含まれるＡＬタイプは、前述の方法のいずれかで取得することができる。
【００５２】
同様に、各ＣＯＲＥＳＥＴの各ＡＬに含まれるｃａｎｄｉｄａｔｅの数も、前述の方法のいずれかで取得することができる。
【００５３】
要約すると、端末側において、図１に示すように、本開示の実施形態に係るダウンリンク制御チャネルを送信するための方法を以下のステップと備える。
【００５４】
Ｓ１０１において、ダウンリンク制御チャネルを送信するための少なくとも１つのリソースセット内のダウンリンク制御チャネルを送信するための候補の数を決定する。
Ｓ１０２において、前記リソースセットにおいて、前記候補の数に基づき、ダウンリンク制御チャネルを受信する。
【００５５】
本開示の実施形態では、ダウンリンク制御チャネルを送信するための少なくとも１つのリソースセット内のダウンリンク制御チャネルを送信するための候補の数を決定し、前記リソースセットにおいて、前記候補の数に基づき、ダウンリンク制御チャネルを受信することにより、端末が実際のｃａｎｄｉｄａｔｅの数に従ってダウンリンク制御チを検出と受信することができ、ダウンリンク制御チャネルのより柔軟な送信を実現し、実際のｃａｎｄｉｄａｔｅの数に従って端末がダウンリンク制御チャネルを検出と受信することができ、端末がダウンリンク制御チャネルのブラインド検出を実行する回数が多すぎたり少なすぎたりする問題を回避し、実際のニーズを満たす。
【００５６】
任意選択で、前記ダウンリンク制御チャネルを送信するための少なくとも１つのリソースセット内のダウンリンク制御チャネルを送信するための候補の数を決定する場合、
基地局から少なくとも１つのリソースセット内の候補の数を示す通知を受信し、前記通知に基づき、少なくとも１つのリソースセット内の候補の数を決定する。
【００５７】
任意選択で、前記通知には、次の情報の１つまたは組み合わせが含まれる。
◎各リソースセット内の候補の数
◎各リソースセット内の各アグリゲーションレベルに含まれる候補の数
◎各リソースセットでサポートされるアグリゲーションレベル、および各サポートされるアグリゲーションレベルに含まれる候補の数
【００５８】
任意選択で、前記通知に各リソースセット内の候補の数が含まれると、当該方法では、さらに、前記通知に含まれる各リソースセット内の候補の数に基づき、第１の所定のルールに従って、各リソースセット内の各アグリゲーションレベルに含まれる候補の数を決定する。
【００５９】
任意選択で、前記ダウンリンク制御チャネルを送信するための少なくとも１つのリソースセット内のダウンリンク制御チャネルを送信するための候補の数を決定する場合、
第２の所定のルールに従って、少なくとも１つのリソースセット内の候補の数を決定する。
【００６０】
これに対応する基地局側：
基地局は、異なるダウンリンク制御チャネルリソースセット内のダウンリンク制御チャネルのｃａｎｄｉｄａｔｅの数を端末に通知する。
【００６１】
前記ダウンリンク制御チャネルのリソースセットは少なくとも１つである。
【００６２】
任意選択で、基地局は、ＲＲＣシグナリングなどの高位層シグナリングを介して、前記異なるダウンリンク制御チャネルリソースセット内のダウンリンク制御チャネル候補の数を通知する。
【００６３】
基地局は、各ダウンリンク制御チャネルを送信するためのリソースセットに含まれるダウンリンク制御チャネルｃａｎｄｉｄａｔｅの数を端末に通知する。たとえば、ＣＯＲＥＳＥＴ １にはＮ個のダウンリンク制御チャネル候補があり、ＣＯＲＥＳＥＴ ２にはＭ個のダウンリンク制御チャネル候補があることが示される。
【００６４】
たとえば、基地局は、事前定義されたｃａｎｄｉｄａｔｅの数セットにおいて特定のダウンリンク制御チャネルリソースセット内のｃａｎｄｉｄａｔｅの数を選択して通知してもよい。たとえば、１つのダウンリンク制御チャネルリソースセット内のｃａｎｄｉｄａｔｅの数は、Ｃ種の選択がある。各選択は０より大きい整数である。たとえば、Ｃ=４の場合、ｃａｎｄｉｄａｔｅの可能な数は{１２、２４、３６、および４８}である。基地局は、ｃｅｉｌ(ｌｏｇ２Ｃ)ｂｉｔで、ダウンリンク制御チャネルリソースセット内のダウンリンク制御チャネルｃａｎｄｉｄａｔｅの数を通知する必要がある。Ｃ=４を例にとると、２ビットの指示が必要である。００はＣＯＲＥＳＥＴに１２のｃａｎｄｉｄａｔｅがあることを意味し、０１はＣＯＲＥＳＥＴに２４個のｃａｎｄｉｄａｔｅがあることを意味し、１０はＣＯＲＥＳＥＴに３６個のｃａｎｄｉｄａｔｅがあることを意味し１１はＣＯＲＥＳＥＴに４８個のｃａｎｄｉｄａｔｅがあることを意味する。
【００６５】
または、基地局は、端末各ダウンリンク制御チャネルを送信するためのリソースセット内の、各ＡＬに含まれるｃａｎｄｉｄａｔｅの数をしめす。たとえば、ダウンリンク制御チャネルによってサポートされるＡＬの数はＡであり、ＡＬの値の範囲は{Ａ１、Ａ２、Ａ３、およびＡ４}と想定する。ここで、Ａ１、Ａ２、Ａ３、Ａ４それぞれは正の整数である。基地局が端末に送信する通知は、ＡＬ=Ａ１場合のｃａｎｄｉｄａｔｅ数がＬ１、ＡＬ=Ａ２場合のｃａｎｄｉｄａｔｅ数がＬ２、ＡＬ=Ａ３場合のｃａｎｄｉｄａｔｅ数がＬ３、ｃａｎｄｉｄａｔｅ数が ＡＬ=Ａ４の場合はＬ４であることを示す。ここで、Ｌ１、Ｌ２、Ｌ３、Ｌ４はそれぞれゼロ以上の整数である。つまり、この場合、端末は、前記ＡＬおよび前記ＡＬに含まれるｃａｎｄｉｄａｔｅの数数に応じて、ダウンリンク制御チャネルでブラインド検出を実行する必要がある。
異なるＣＯＲＥＳＥＴにおける各ＡＬのｃａｎｄｉｄａｔｅの数は、異なっても等しくてもよい。
【００６６】
各ＡＬに含まれるｃａｎｄｉｄａｔｅの数が具体的に設定されると、基地局は、事前定義されたｃａｎｄｉｄａｔｅの数セットからｃａｎｄｉｄａｔｅの数を選択する。たとえば、各ＡＬに含まれるｃａｎｄｉｄａｔｅの数にはＣ種の選択肢があり、たとえば、Ｃ=４の場合、ｃａｎｄｉｄａｔｅの数は{１２，２４，３６，４８}である。基地局は、ｃｅｉｌ(ｌｏｇ２Ｃ)ｂｉｔで各ＡＬに含まれるｃａｎｄｉｄａｔｅの数を示す必要があり、すべてのＡ個のＡＬのｃａｎｄｉｄａｔｅの数を示すために、Ａ*ｃｅｉｌ(ｌｏｇ２Ｃ)ｂｉｔ情報情報が必要である。
【００６７】
または、前記基地局は、各ダウンリンク制御チャネルを送信するためのリソースセット内のサポートされるＡＬおよび各ＡＬに含まれるｃａｎｄｉｄａｔｅの数を端末に通知する。たとえば、ＣＯＲＥＳＥＴ １内のサポートされるＡＬは{Ａ１，Ａ２}であり、ここで、Ａ１のｃａｎｄｉｄａｔｅの数はＬ１、Ａ２のｃａｎｄｉｄａｔｅの数はＬ２である。ＣＯＲＥＳＥＴ ２内のサポートされるＡＬは{Ａ３，Ａ４}であり、ここで、Ａ３のｃａｎｄｉｄａｔｅの数はＬ３、Ａ４のｃａｎｄｉｄａｔｅの数はＬ４である。たとえば、たとえば、最大Ａ種のＡＬがダウンリンク制御チャネルリソースセットでサポートされ、Ａ=４と仮定すると、基地局は４ビット情報を介してダウンリンク制御チャネルリソースセットに存在するＡＬを示す。４ビット情報の各ビットは１つのＡＬを表し、０はリソースのセット内に対応するＡＬがないことを表し、１はリソースのセット内に対応するＡＬがあることを表します。たとえば、４ビットのビットマップ情報では、最下位ビットはＡ１を表し、２番目のビットはＡ２を表し、３番目のビットはＡ３を表し、最上位ビットはＡ４を表し、１０００はリソースのセット内にＡＬ=Ａ１のｃａｎｄｉｄａｔｅのみが存在することを示す。別の例では、１１１１は、リソースのセット内にＡ１、Ａ２、Ａ３、Ａ４の４種類のＡＬのｃａｎｄｉｄａｔｅがあることを示す。この場合、端末は、前記ｃａｎｄｉｄａｔｅ指示情報に示されたＡＬに含まれるｃａｎｄｉｄａｔｅの数に従って、ダウンリンク制御チャネルを検出するだけでよい。
【００６８】
ＡＬに含まれるｃａｎｄｉｄａｔｅの数は、前述の方法を通じて通知することができ、詳細は本明細書では説明されない。
【００６９】
または、は、前述の解決策の組み合わせにより、異なるダウンリンク制御チャネルリソースセット内のダウンリンク制御チャネルｃａｎｄｉｄａｔｅの数を端末に通知する。たとえば、前記基地局は、各ＣＯＲＥＳＥＴに含まれるｃａｎｄｉｄａｔｅの数およびサポートされるＡＬを端末に示し、各サポートされるＡＬに含まれるｃａｎｄｉｄａｔｅの数は、事前定義モードで決定される。
【００７０】
要約すると、図２に示すように、基地局側では、本開示の実施形態に係るダウンリンク制御チャネルを送信するための方法は化のステップを備える。
【００７１】
Ｓ２０１において、ダウンリンク制御チャネルを送信するための少なくとも１つのリソースセット内のダウンリンク制御チャネル候補の数を決定し、明示的なシグナリングによって前記リソースセット内のダウンリンク制御チャネル候補の数の通知を端末に送信し、または事前定義されたルールに従って、前記リソースセット内のダウンリンク制御チャネル候補の数を暗黙的に示す。
【００７２】
Ｓ２０２において、前記リソースセットにおいて、ダウンリンク制御チャネルを送信する。
【００７３】
任意選択で、前記通知には、次の情報の１つまたは組み合わせが含まれる。
◎各リソースセット内の候補の数
◎各リソースセット内の各アグリゲーションレベルに含まれる候補の数
◎各リソースセットでサポートされるアグリゲーションレベル、および各サポートされるアグリゲーションレベルに含まれる候補の数
【００７４】
例示のために、いくつかの特定の実施形態を以下に説明する。
【００７５】
実施形態１：基地局は、ＣＯＲＥＳＥＴ１およびＣＯＲＥＳＥＴ２など、端末に対して２つのダウンリンク制御チャネルリソースセットを設定する。すなわち、端末は、ＣＯＲＥＳＥＴ１およびＣＯＲＥＳＥＴ ２のサブフレームでダウンリンク制御チャネルを検出および受信する必要がある。基地局は、RRＣシグナリングを介して２セットのリソース内のダウンリンク制御チャネルｃａｎｄｉｄａｔｅの数を端末に通知する。たとえば、たとえば、基地局は、RRＣシグナリングを介してＣＯＲＥＳＥＴ １においてブラインド検出する必要があるダウンリンク制御チャネルのｃａｎｄｉｄａｔｅの数を端末に通知する。そして、基地局は、RRＣシグナリングを介してＣＯＲＥＳＥＴ ２においてブラインド検出する必要があるダウンリンク制御チャネルのｃａｎｄｉｄａｔｅの数を端末に通知する。１つのダウンリンク制御チャネルリソースセット内のｃａｎｄｉｄａｔｅの数に対して、{１２、２４、３６、４８}の４つの可能性があるとする。基地局は、ｃｅｉｌ(ｌｏｇ２４)ｂｉｔ=２ｂｉｔ情報で、ダウンリンク制御チャネルリソースセット内のダウンリンク制御チャネルｃａｎｄｉｄａｔｅの数を通知する必要がある。本実施形態では、００はＣＯＲＥＳＥＴに１０個のｃａｎｄｉｄａｔｅがあることを示し、０１はＣＯＲＥＳＥＴに２０個のｃａｎｄｉｄａｔｅがあることを示し、１０はＣＯＲＥＳＥＴに３０個のｃａｎｄｉｄａｔｅがあることを示し、１１はＣＯＲＥＳＥＴに４０個のｃａｎｄｉｄａｔｅがあることを示す。以下の表１に示すとおりである。
【００７６】
【表１】
2020520156.tif 000005
【００７７】
たとえば、ＣＯＲＥＳＥＴ１内のｃａｎｄｉｄａｔｅの数が００である場合、それはＣＯＲＥＳＥＴ１内に１２個のｃａｎｄｉｄａｔｅがあることを意味する。ＣＯＲＥＳＥＴ ２のｃａｎｄｉｄａｔｅの数が１１の場合、ＣＯＲＥＳＥＴ ２には４８のｃａｎｄｉｄａｔｅがあることを意味する。端末は、ＣＯＲＥＳＥＴに含まれる、基地局から通知されたｃａｎｄｉｄａｔｅの数および事前定義された各ＡＬに含まれるｃａｎｄｉｄａｔｅの数に従ってＣＯＲＥＳＥＴのダウンリンク制御チャネルを検出および受信する。さらに、各ＣＯＲＥＳＥＴのｃａｎｄｉｄａｔｅによってサポートされる４種類のＡＬ、つまりＡ１、Ａ２、Ａ３、およびＡ４があり、すべてのＡＬに含まれるｃａｎｄｉｄａｔｅの数は、たとえば含まれるｃａｎｄｉｄａｔｅの数に比例して分布すると仮定される。たとえば、Ａ１に含まれるｃａｎｄｉｄａｔｅの数がｃａｎｄｉｄａｔｅ総数の１/３を占め、Ａ２は１/３、Ａ３は１/６、Ａ４は１/６を占める。本実施形態では、ＣＯＲＥＳＥＴ１およびＣＯＲＥＳＥＴ２において端末似よって検出および受信する必要があるすべてのＡＬのそれぞれに含まれるｃａｎｄｉｄａｔｅの数を以下の表２に示す。
【００７８】
【表２】
2020520156.tif 000006
【００７９】
実施形態２：基地局は、端末に対して２つのダウンリンク制御チャネルリソースセット、すなわちＣＯＲＥＳＥＴ１およびＣＯＲＥＳＥＴ２を設定する。すなわち、端末は、ＣＯＲＥＳＥＴ１およびＣＯＲＥＳＥＴ ２のサブフレームでダウンリンク制御チャネルを検出および受信する必要がある。基地局は、RRＣシグナリングを介して、２つのリソースの各ＡＬに含まれるｃａｎｄｉｄａｔｅの数を端末に通知する。たとえば、ダウンリンク制御チャネルによってサポートされるＡＬの数はＡであり、本実施形態によれば、Ａ＝４、すなわち、ＡＬは｛Ａ１、Ａ２、Ａ３、Ａ４｝であると仮定する。前記ｃａｎｄｉｄａｔｅ指示情報は、ＡＬ=Ａ１の場合のｃａｎｄｉｄａｔｅ数がＬ１、ＡＬ=Ａ２の場合のｃａｎｄｉｄａｔｅ数がＬ２、ＡＬ=Ａ３の場合のｃａｎｄｉｄａｔｅ数がＬ３、およびＡＬ=Ａ４の場合のｃａｎｄｉｄａｔｅの数はＬ４であることを示す。各ＡＬに含まれるｃａｎｄｉｄａｔｅの数が具体的に設定されると、基地局は、事前定義されたｃａｎｄｉｄａｔｅの数セットから選択する。たとえば、各ＡＬに含まれるｃａｎｄｉｄａｔｅの数Ｃには４つの選択肢があり、Ｃ=４の場合、ｃａｎｄｉｄａｔｅの可能な数は{１２、２４、３６、４８}であり、基地局はｃｅｉｌ(ｌｏｇ２４)ｂｉｔ=２ｂｉｔで各ＡＬに含まれるｃａｎｄｉｄａｔｅの数を示す。すべてのＡ=４ＡＬのｃａｎｄｉｄａｔｅの数は、各ＡＬに含まれるｃａｎｄｉｄａｔｅの数（ｂ１、ｂ２、ｂ３、ｂ４、ｂ５、ｂ６、ｂ７、ｂ８）を示すための、４*ｃｅｉｌ(ｌｏｇ２４)ｂｉｔ=８ｂｉｔ情報によって示される。ここで、ｂ１とｂ２の組み合わせは、ＡＬ=Ａ１のときＡＬに含まれるｃａｎｄｉｄａｔｅの数を示し、ｂ３とｂ４の組み合わせはＡＬ=Ａ２のときＡＬに含まれるｃａｎｄｉｄａｔｅの数を示す。ｂ５とｂ６の組み合わせはＡＬ=Ａ３のときＡＬに含まれるｃａｎｄｉｄａｔｅの数を示す。ｂ７とｂ８の組み合わせは、ＡＬ=Ａ１のときＡＬに含まれるｃａｎｄｉｄａｔｅの数を示す。各ＡＬに含まれるｃａｎｄｉｄａｔｅの数を示す２ビット情報の意味を表１に示す。たとえば、基地局は、高位層シグナリングに含まれるｃａｎｄｉｄａｔｅの数の指示情報が１１０１００１０である場合、次のように表現される。
【００８０】
指定されたダウンリンク制御チャネルリソースセットにおいて、端末によって検出および受信される必要があるｃａｎｄｉｄａｔｅの数は次のとおりである：ＡＬ＝Ａ１の場合に４８個のｃａｎｄｉｄａｔｅがあり、ＡＬ＝Ａ２の場合に２４個のｃａｎｄｉｄａｔｅがある。ＡＬ =Ａ３の場合に１２個のｃａｎｄｉｄａｔｅがある。ＡＬ= Ａ４の場合に３６個のｃａｎｄｉｄａｔｅがある。
【００８１】
端末は、基地局によって送信されたｃａｎｄｉｄａｔｅの数指示情報を受信し、指示情報に従ってＣＯＲＥＳＥＴ１およびＣＯＲＥＳＥＴ２内のダウンリンク制御チャネルを検出および受信する。
【００８２】
実施形態３：基地局は、ＣＯＲＥＳＥＴ１およびＣＯＲＥＳＥＴ２など、端末に対して２つのダウンリンク制御チャネルリソースセットを設定する。すなわち、端末は、ＣＯＲＥＳＥＴ１およびＣＯＲＥＳＥＴ ２のサブフレームでダウンリンク制御チャネルを検出および受信する必要がある。基地局は、RRＣシグナリングを介して、２つのリソースの各ＡＬに含まれるＡＬの種類とｃａｎｄｉｄａｔｅの数を端末に通知する。たとえば、ＣＯＲＥＳＥＴ １内のサポートされるＡＬの数は{Ａ１、Ａ２}で、Ａ１のｃａｎｄｉｄａｔｅの数はＬ１、Ａ２のｃａｎｄｉｄａｔｅの数はＬ２である。ＣＯＲＥＳＥＴ ２内のサポートされるＡＬは{Ａ３、Ａ４}で、Ａ３のｃａｎｄｉｄａｔｅの数はＬ３、Ａ４のｃａｎｄｉｄａｔｅの数はＬ４である。たとえば、ダウンリンク制御チャネルリソースセットでは最大Ａ種類のＡＬがサポートされ、Ａ= ４の場合、基地局は４ｂｉｔの情報でダウンリンク制御チャネルリソースセット内のＡＬを示す。４ビット情報の各ビットは１つのＡＬを表し、０はリソースのセット内に対応するＡＬがないことを意味し、１はリソースのセット内に対応するＡＬがあることを意味する。たとえば、４ビットのビットマップ情報では、最下位ビットはＡ１を表し、２番目のビットはＡ２を表し、３番目のビットはＡ３を表し、最上位ビットはＡ４を表す。１０００は、リソースのセット内にＡＬ=Ａ１のｃａｎｄｉｄａｔｅのみがあることを示す。別の例では、１１１１は、リソースのセット内にＡ１、Ａ２、Ａ３、Ａ４の４種類のＡＬのｃａｎｄｉｄａｔｅがあることを示す。ビットマップの特定の意味を以下の表３に示す。
【００８３】
【表３】
2020520156.tif 000007
【００８４】
基地局は、実施形態２のように、各ＡＬに含まれるｃａｎｄｉｄａｔｅの数を示し、詳細はここでは再び説明されない。
【００８５】
端末は、基地局によって通知されたＣＯＲＥＳＥＴ１およびＣＯＲＥＳＥＴ２に含まれるＡＬと、各ＡＬに含まれるｃａｎｄｉｄａｔｅの数とに従って、ＣＯＲＥＳＥＴ１およびＣＯＲＥＳＥＴ２においてダウンリンク制御チャネルを検出および受信する。
【００８６】
実施形態４：端末は、特定の時間単位でダウンリンク制御チャネルを検出および受信するときに最大Ｋ個のｃａｎｄｉｄａｔｅをサポートすると想定される。前記特定の時間単位は、１つのスロット、１つのsTTI、または１つのOFDＭシンボルである。本実施形態では、Ｋ=３６とする。基地局は、端末に少なくとも１つのＣＯＲＥＳＥＴを設定して、ダウンリンク制御チャネルを送信する。端末は、基地局によって設定されたＣＯＲＥＳＥＴのサイズに応じて、各ＣＯＲＥＳＥＴに含まれるｃａｎｄｉｄａｔｅの数を比例的および暗黙的に取得する。たとえば、基地局が端末に１つのＣＯＲＥＳＥＴのみを設定する場合、端末はＣＯＲＥＳＥＴに含まれるｃａｎｄｉｄａｔｅの数がＫであると見なす。また、別の例として、基地局は端末に２つのＣＯＲＥＳＥＴを設定し、ＣＯＲＥＳＥＴ１はQ個のリソースユニット（RBなど）、ＣＯＲＥＳＥＴ２はP個のリソースユニットを含み、端末は、ＣＯＲＥＳＥＴ１に含まれるｃａｎｄｉｄａｔｅの数
【００８７】
【数３】
2020520156.tif 000008
【００８８】
を暗黙的に取得し、端末暗黙は、ＣＯＲＥＳＥＴ２に含まれるｃａｎｄｉｄａｔｅの数
【００８９】
【数４】
2020520156.tif 000009
【００９０】
を暗黙的に取得する。
【００９１】
基地局は、端末に対してただ１つのＣＯＲＥＳＥＴを設定すると仮定され、端末は、ＣＯＲＥＳＥＴに含まれるｃａｎｄｉｄａｔｅの数がＫ＝３６であると決定する。具体的には、当該ＣＯＲＥＳＥＴに含まれるＡＬおよび各ＡＬに含まれるｃａｎｄｉｄａｔｅの数数は、実施形態１から３のいずれかの方法によって決定されてもよく、詳細は本明細書で繰り返し説明されない。
【００９２】
次に、基地局は端末に対して２つのＣＯＲＥＳＥＴ、すなわちＣＯＲＥＳＥＴ１およびＣＯＲＥＳＥＴ２を設定し、ＣＯＲＥＳＥＴ１は１０個のＲＢを含み、ＣＯＲＥＳＥＴ２は２０個のＲＢを含むと仮定される。上記の式に従って、端末はＣＯＲＥＳＥＴ１の１２個のｃａｎｄｉｄａｔｅを検出および受信する必要があり、ＣＯＲＥＳＥＴ２の２４個のｃａｎｄｉｄａｔｅを検出および受信する必要があると判断する。具体的には、各ＣＯＲＥＳＥＴに含まれるＡＬおよび各ＡＬに含まれるｃａｎｄｉｄａｔｅの数は、実施形態１から３のいずれかの方法によって決定されてもよく、詳細はここではで繰り返し説明されない。
【００９３】
上記端末側の方法と対応して、図３を参照して、本開示の実施形態に係るダウンリンク制御チャネルを送信するための装置は、
ダウンリンク制御チャネルを送信するための少なくとも１つのリソースセット内のダウンリンク制御チャネルを送信するための候補の数を決定するための決定ユニット１１と、
前記リソースセットにおいて、前記候補の数に基づき、ダウンリンク制御チャネルを受信するための受信ユニット１２とを備える。
【００９４】
任意選択で、前記決定ユニット１１は、基地局から少なくとも１つのリソースセット内の候補の数を示す通知を受信し、前記通知に基づき、少なくとも１つのリソースセット内の候補の数を決定する。
【００９５】
任意選択で、前記通知には、次の情報の１つまたは組み合わせが含まれる。
◎各リソースセット内の候補の数
◎各リソースセット内の各アグリゲーションレベルに含まれる候補の数
◎各リソースセットでサポートされるアグリゲーションレベル、および各サポートされるアグリゲーションレベルに含まれる候補の数
【００９６】
任意選択で、前記通知に各リソースセット内の候補の数が含まれると、前記決定ユニット１１は、さらに、前記通知に含まれる各リソースセット内の候補の数に基づき、第１の所定のルールに従って、各リソースセット内の各アグリゲーションレベルに含まれる候補の数を決定する。
【００９７】
任意選択で、前記決定ユニット１１は、第２の所定のルールに従って、少なくとも１つのリソースセット内の候補の数を決定する。
【００９８】
上記基地局側の方法に対応して、図４に示すように、本開示の実施形態に係るダウンリンク制御チャネルを送信するための装置は、
ダウンリンク制御チャネルを送信するための少なくとも１つのリソースセット内のダウンリンク制御チャネル候補の数を決定し、明示的なシグナリングによって前記リソースセット内のダウンリンク制御チャネル候補の数の通知を端末に送信し、または事前定義されたルールに従って、前記リソースセット内のダウンリンク制御チャネル候補の数を暗黙的に示すための決定ユニット２１と、
前記リソースセットにおいて、ダウンリンク制御チャネルを送信するための送信ユニット２２とを備える。
【００９９】
任意選択で、前記通知には、次の情報の１つまたは組み合わせが含まれる。
◎各リソースセット内の候補の数
◎各リソースセット内の各アグリゲーションレベルに含まれる候補の数
◎各リソースセットでサポートされるアグリゲーションレベル、および各サポートされるアグリゲーションレベルに含まれる候補の数
【０１００】
図５に示すように、端末側において、本開示の実施形態に係る別のダウンリンク制御チャネルを送信するための装置は、メモリ６２０内のプログラムを読み取り、以下の動作を実行するように構成されるプロセッサ６００を備える。
【０１０１】
前記プロセッサ６００は、ダウンリンク制御チャネルを送信するための少なくとも１つのリソースセット内のダウンリンク制御チャネルを送信するための候補の数を決定し、
前記リソースセットにおいて、前記候補の数に基づき、送受信機６１０を介してダウンリンク制御チャネルを受信する。
【０１０２】
任意選択で、前記プロセッサ６００送受信機６１０を介して基地局から少なくとも１つのリソースセット内の候補の数を示す通知を受信し、前記通知に基づき、少なくとも１つのリソースセット内の候補の数を決定する。
【０１０３】
任意選択で、前記通知には、次の情報の１つまたは組み合わせが含まれる。
◎各リソースセット内の候補の数
◎各リソースセット内の各アグリゲーションレベルに含まれる候補の数
◎各リソースセットでサポートされるアグリゲーションレベル、および各サポートされるアグリゲーションレベルに含まれる候補の数
【０１０４】
任意選択で、前記通知に各リソースセット内の候補の数が含まれると、前記プロセッサ６００は、さらに、前記通知に含まれる各リソースセット内の候補の数に基づき、第１の所定のルールに従って、各リソースセット内の各アグリゲーションレベルに含まれる候補の数を決定する。
【０１０５】
任意選択で、前記プロセッサ６００は、第２の所定のルールに従って、少なくとも１つのリソースセット内の候補の数を決定する。
【０１０６】
送受信機６１０は、プロセッサ６００の制御でデータを送受信する。
【０１０７】
ここで、図５において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、すなわち、ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１０８】
プロセッサ６００は、バスアーキテクチャの管理及び通常の処理を担当し、メモリ６２０は、プロセッサ６００が動作する際に利用するデータを記憶することができる。
【０１０９】
任意選択で、プロセッサ６００は、中央処理装置（ＣｅｎｔｒＡＬ Ｐｒｏｃｅｓｓｉｎｇ Ｕｎｉｔ，ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（Ｃｏｍｐｌｅｘ Ｐｒｏｇｒａｍｍａｂｌｅ Ｌｏｇｉｃ Ｄｅｖｉｃｅ，ＣＰＬＤ）とすることができる。
【０１１０】
基地局側では、図６を参照して、本開示の実施形態に係るダウンリンク制御チャネルを送信するための装置は、メモリ５２０内のプログラムを読み取り、以下の動作を実行するように構成されるプロセッサ５００を備える。
【０１１１】
前記プロセッサ５００は、ダウンリンク制御チャネルを送信するための少なくとも１つのリソースセット内のダウンリンク制御チャネル候補の数を決定し、明示的なシグナリングによって送受信機を介して５１０前記リソースセット内のダウンリンク制御チャネル候補の数の通知を端末に送信し、または事前定義されたルールに従って、前記リソースセット内のダウンリンク制御チャネル候補の数を暗黙的に示し、
前記リソースセットにおいて、送受信機を介して５１０ダウンリンク制御チャネルを送信する。
【０１１２】
任意選択で、前記通知には、次の情報の１つまたは組み合わせが含まれる。
◎各リソースセット内の候補の数
◎各リソースセット内の各アグリゲーションレベルに含まれる候補の数
◎各リソースセットでサポートされるアグリゲーションレベル、および各サポートされるアグリゲーションレベルに含まれる候補の数
【０１１３】
送受信機５１０は、プロセッサ５００の制御でデータを送受信する。
【０１１４】
ここで、図６において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、送信機と送信機を含む複数のコンポーネントであり、伝送媒体上の他のさまざまなデバイスと通信するためのユニットを提供する。プロセッサ５００は、バスアーキテクチャの管理及び通常の処理を担当し、メモリ５２０は、プロセッサ５００が動作する際に利用するデータを記憶することができる。
【０１１５】
プロセッサ５００は、ＣＰＵ、ＡＳＩＣ、ＦＰＧＡまたはＣＰＬＤである。
【０１１６】
本開示の実施形態は読み取り可能な記憶媒体を提供し、プログラムコードを含み、プログラムコードがコンピューティング機器で実行される場合、前記プログラムコードは、コンピューティング機器が端末側のダウンリンクチャネルを送信するための装置によって実行されるステップを実行できるようにするために使用される。
【０１１７】
本開示の実施形態は、、別の読み取り可能な記憶媒体を提供し、プログラムコードを含み、プログラムコードがコンピューティング機器で実行される場合、前記プログラムコードは、コンピューティング機器が基地局側のダウンリンクチャネルを送信するための装置によって実行されるステップを実行できるようにするために使用される。
【０１１８】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１１９】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１２０】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１２１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１２２】
１１  決定ユニット
１２  受信ユニット
２１  決定ユニット
２２  送信ユニット
【図１】
2020520156.tif 000010
【図２】
2020520156.tif 000011
【図３】
2020520156.tif 000012
【図４】
2020520156.tif 000013
【図５】
2020520156.tif 000014
【図６】
2020520156.tif 000015
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
ダウンリンク制御チャネルを送信するための少なくとも１つのリソースセット内のダウンリンク制御チャネルを送信するための候補の数を決定するステップと、
前記リソースセットにおいて、前記候補の数に基づき、ダウンリンク制御チャネルを受信するステップとを備えることを特徴とするダウンリンク制御チャネルを送信するための方法。
【請求項２】
前記ダウンリンク制御チャネルを送信するための少なくとも１つのリソースセット内のダウンリンク制御チャネルを送信するための候補の数を決定する場合、
基地局から少なくとも１つのリソースセット内の候補の数を示す通知を受信し、前記通知に基づき、少なくとも１つのリソースセット内の候補の数を決定することを特徴とする請求項１に記載のダウンリンク制御チャネルを送信するための方法。
【請求項３】
前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項２に記載のダウンリンク制御チャネルを送信するための方法。
【請求項４】
前記通知に各リソースセット内の候補の数が含まれると、
前記通知に含まれる各リソースセット内の候補の数に基づき、第１の所定のルールに従って、各リソースセット内の各アグリゲーションレベルに含まれる候補の数を決定することを特徴とする請求項３に記載のダウンリンク制御チャネルを送信するための方法。
【請求項５】
前記ダウンリンク制御チャネルを送信するための少なくとも１つのリソースセット内のダウンリンク制御チャネルを送信するための候補の数を決定する場合、
第２の所定のルールに従って、少なくとも１つのリソースセット内の候補の数を決定することを特徴とする請求項１に記載のダウンリンク制御チャネルを送信するための方法。
【請求項６】
ダウンリンク制御チャネルを送信するための少なくとも１つのリソースセット内のダウンリンク制御チャネル候補の数を決定し、明示的なシグナリングによって前記リソースセット内のダウンリンク制御チャネル候補の数の通知を端末に送信し、または事前定義されたルールに従って、前記リソースセット内のダウンリンク制御チャネル候補の数を暗黙的に示すステップと、
前記リソースセットにおいて、ダウンリンク制御チャネルを送信するステップとを備えることを特徴とするダウンリンク制御チャネルを送信するための方法。
【請求項７】
前記通知には、
各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項６に記載のダウンリンク制御チャネルを送信するための方法。
【請求項８】
ダウンリンク制御チャネルを送信するための少なくとも１つのリソースセット内のダウンリンク制御チャネルを送信するための候補の数を決定するための決定ユニットと、
前記リソースセットにおいて、前記候補の数に基づき、ダウンリンク制御チャネルを受信するための受信ユニットとを備えることを特徴とするダウンリンク制御チャネルを送信するための装置。
【請求項９】
前記決定ユニットは、
基地局から少なくとも１つのリソースセット内の候補の数を示す通知を受信し、前記通知に基づき、少なくとも１つのリソースセット内の候補の数を決定することを特徴とする請求項８に記載のダウンリンク制御チャネルを送信するための装置。
【請求項１０】
前記通知には、各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項９に記載のダウンリンク制御チャネルを送信するための装置。
【請求項１１】
前記通知に各リソースセット内の候補の数が含まれると、前記決定ユニットは、さらに、
前記通知に含まれる各リソースセット内の候補の数に基づき、第１の所定のルールに従って、各リソースセット内の各アグリゲーションレベルに含まれる候補の数を決定することを特徴とする請求項１０に記載のダウンリンク制御チャネルを送信するための装置。
【請求項１２】
前記決定ユニットは、第２の所定のルールに従って、少なくとも１つのリソースセット内の候補の数を決定することを特徴とする請求項８に記載のダウンリンク制御チャネルを送信するための装置。
【請求項１３】
ダウンリンク制御チャネルを送信するための少なくとも１つのリソースセット内のダウンリンク制御チャネル候補の数を決定し、明示的なシグナリングによって前記リソースセット内のダウンリンク制御チャネル候補の数の通知を端末に送信し、または事前定義されたルールに従って、前記リソースセット内のダウンリンク制御チャネル候補の数を暗黙的に示すための決定ユニットと、
前記リソースセットにおいて、ダウンリンク制御チャネルを送信するための送信ユニットとを備えることを特徴とするダウンリンク制御チャネルを送信するための装置。
【請求項１４】
前記通知には、各リソースセット内の候補の数と、
各リソースセット内の各アグリゲーションレベルに含まれる候補の数と、
各リソースセットでサポートされるアグリゲーションレベル、および各サポートされるアグリゲーションレベルに含まれる候補の数とのうちの１つまたは組み合わせが含まれることを特徴とする請求項１３に記載のダウンリンク制御チャネルを送信するための装置。
【請求項１５】
プログラムコードを含み、プログラムコードがコンピューティング機器で実行される場合、前記プログラムコードは、コンピューティング機器が請求項１〜５のいずれか１項に記載の方法のステップまたは請求項６または７の方法のステップを実行できるようにするために使用される、読み取り可能な記憶媒体。
【国際調査報告】
2020520156.tif 000016
2020520156.tif 000017
2020520156.tif 000018
2020520156.tif 000019